(57)【特許請求の範囲】
【請求項１】
容器本体と、下蓋と上蓋とからなる蓋体、および蓋体に取着され容器本体内に配設された収納室とを備えた食品用容器であって、
収納室は、下蓋に取着され、円弧状の外側側板と内側側板とを具えた側壁と底壁とを具え、
内側側板が、薄肉で形成され、底壁との接続部を軸として、反転変形可能であること特徴とする食品用容器。
【請求項２】
収納室の側壁が、下蓋の上壁の内縁から立設された側周壁に連設されていることを特徴とする請求項１記載の食品用容器。
【発明の詳細な説明】
【技術分野】
【０００１】
本発明は、ガム等の食品を収納するとともに、捨て紙の収納部を有する食品用容器に関するものである。
【背景技術】
【０００２】
容器内にガム、その他の食品を収納し、容器本体の開口上面を閉じる蓋体に捨て紙の収納室を設けた食品用容器は、従来より知られている（例えば、特許文献１参照）。
【特許文献１】特開２００５−３０６４５２
【発明の開示】
【発明が解決しようとする課題】
【０００３】
しかしながら、上記特許文献１記載の従来技術では、蓋体が容器本体の上面を閉じているので、まず始めに、基体を開いて内容物を取出して、次いで、捨て紙を取出すときには、蓋体の上蓋を開いて取出すようにしていた。
そのため、蓋体の開閉、上蓋の開閉と取出し操作が二回にわたり、使い勝手がよくないという問題があった。
また、蓋体の蝶番機構、上蓋の蝶番機構と二つの蝶番機構を設けなければならず、生産コストが高くつくという問題があった。
【０００４】
本発明は、上記の問題を解決することを課題とし、捨て紙収納室を容器内に配設し、蓋体の開閉とともに、内容物を容易に取出せるようにし、捨て紙を捨て紙収納室から取出せるようにした食品用容器を提供することを目的とする。
【課題を解決するための手段】
【０００５】
本発明は、上記の課題を解決するため、食品用容器として、容器本体と、下蓋と上蓋とからなる蓋体、および蓋体に取着され容器本体内に配設された収納室とを備えた食品用容器であって、収納室は、下蓋に取着され、円弧状の外側側板と内側側板とを具えた側壁と底壁とを具え、内側側板が、薄肉で形成され、底壁との接続部を軸として、反転変形可能であること特徴とする構成を採用する。
【０００６】
収納室の実施例として、収納室の側壁が、下蓋の上壁の内縁から立設された側周壁に連設されていることを特徴とする構成を採用する。
【発明の効果】
【０００７】
捨て紙収納室は、容器本体内に配置され、円弧状の外側側板と、内側側板を具えた側壁と底壁とによって形成され、内側側板を薄肉とし、変形可能としたから、内側側板を底壁との接続部を軸として反転できるようになり、開口が広くなるので、捨て紙収納室に手指を差入れ、捨て紙を簡単に取出すことができるようになった。
【発明を実施するための最良の形態】
【０００８】
次に、本発明食品用容器の実施形態について、図面を参照して説明する。
図１において、Ａは容器本体、Ｂは蓋体、Ｃは蓋体Ｂに取着された捨て紙収納室である。
【０００９】
容器本体Ａは、上端にフランジ１を設けた胴部２と底部３とからなっており、胴部２の下方部には、スタック用の突条４が設けられている。
容器本体Ａには、収納物として、ガム、あめ、その他の食品が収納される。
【００１０】
図１、２に示すように、蓋体Ｂは、下蓋５と、該下蓋５に蝶番６によって連設された上蓋７とからなっている。
下蓋５は、フランジ１に接合する環状の上壁８と、上壁８の周縁から垂設された側周壁９とからなり、側周壁９には、フランジ１の下面に係合する複数の突起１０、または、係合突条が設けられ、容器本体Ａと蓋体Ｂを結合させている。
【００１１】
上蓋７は、頂壁１１と側周壁１２とからなり、頂壁１１には、後述する捨て紙収納室Ｃを押圧する環状の突条１３が設けられ、蝶番６の反対側には、切込み部１４が設けられ、つまみ１５が形成されている。
【００１２】
捨て紙収納室Ｃは、蓋体Ｂと一体成形され、下蓋５の環状の上壁８には、その外周縁に、上蓋７の側周壁１２の下端と係合する段部１６が設けられ、その内周縁には、上方に起立する側周壁１７が立設されている。
【００１３】
蝶番６の側には、側周壁１７の上端に連設された円弧状の支持壁１８と、該支持壁１８に連設される連設板１９ａ、１９ｂ、該連設板１９ａ、１９ｂの内端を接続する円弧状の内側支持壁２０が形成されている。
支持壁１８の内縁、連設板１９ａ、１９ｂの内側、内側支持壁２０の外縁からそれぞれ外側側板２１、横側板２２ａ、２２ｂ、および薄肉の内側側板２３が垂設され、それらの側板によって、捨て紙収納室Ｃの側壁２４が形成され、その下端には、底壁２５が設けられている。
【００１４】
次に、本食品用容器の使用態様と作用効果について説明する。
本食品用容器は、容器本体Ａのフランジ１上面に、捨て紙収納室Ｃを形成した蓋体Ｂを嵌着することによって組み立てられる。
その際、フランジ１は、下蓋５の上壁８と突起１０によって固く挟持され、捨て紙収納室Ｃは、下蓋５上に確実に保持される。
そして、上蓋７を開けたときには、下蓋５の環状の上壁８上に捨て紙収納室Ｃを残して、容器本体Ｂが開口される。
【００１５】
食品用容器の使用にあたっては、広く開蓋した開口より容器Ａ内に手指を入れて内容物を取出すことができ、捨て紙収納室Ｃより捨て紙３０を取出すことができる。
【００１６】
捨て紙収納室Ｃ内に、捨て紙３０が収納されるが、捨て紙３０の収納時、および、取出し時には、図３に示すように、内側支持壁２０を介して、底壁２５と接続縁を軸として、内側側板２３を容器本体Ａの内方に反転させ、上部を広く開口することができる。
したがって、広く開いた開口部より指を差し入れると、捨て紙３０を容易に取出すことができる。
【００１７】
ガム等を口内で噛んだ後に、捨て紙３０に包んでゴミ入れ等に捨てることができる。
内容物があめ玉などの場合、あめ玉をつまみ出す場合に、手指を清拭するウェットティッシュなどを、捨て紙に代え収納しておいて使用することができる。
【産業上の利用可能性】
【００１８】
蓋体を開蓋することによって、容器本体を開口し、内容物を取出すことができ、同時に捨て紙収納室から捨て紙を取出すことができるので、食品用容器として広く利用できる。
【図面の簡単な説明】
【００１９】
【図１】本発明食品用容器の一部断面立面図である。
【図２】蓋体を開いたときの上面図である。
【図３】捨て紙収納室の開蓋時の説明図で、（ａ）は上面図、（ｂ）は断面立面である。
【符号の説明】
【００２０】
Ａ          容器本体
Ｂ          蓋体
Ｃ          捨て紙収納室
１          フランジ
２          胴部
３          底部
４、１３    突条
５          下蓋
６          蝶番
７          上蓋
８          上壁
９、１２、１７  側周壁
１０        突起
１１        頂壁
１４        切込み部
１５        つまみ
１６        段部  
１８        支持壁
１９ａ，ｂ  連設板
２０        内側支持壁
２１        外側側板
２２ａ，ｂ  横側板
２３        内側側板
２４        側壁
２５        底壁
３０        捨て紙
【図１】
0004954839.tif 000002
【図２】
0004954839.tif 000003
【図３】
0004954839.tif 000004